(57)【要約】【課題】室内機と室外機とを連通する冷媒配管を冷媒の漏れなく簡単に接離する配管接離装置およびそれを使用する配管接離方法を提供する。【解決手段】配管接離装置は、一端に配管が接続され、他端で互いに接続される管状の第１のバルブおよび第２のバルブと上記第１のバルブと上記第２のバルブとを接続する接続部材とを備え、２本の配管を接続または分離する配管接離装置において、上記第１のバルブおよび上記第２のバルブは、管内の流通を開閉する弁を備え、上記第１のバルブまたは上記第２のバルブの少なくとも一方は、上記弁と上記他端との間の管内と外側とを連通する２つの孔が設けられ、上記２つの孔にはそれぞれ第３のバルブと第４のバルブとが配設されている。【選択図】図２
2007255836.tif 000002
【特許請求の範囲】
【請求項１】
一端に配管がそれぞれ接続され、他端で互いに接続される管状の第１のバルブおよび第２のバルブと上記第１のバルブと上記第２のバルブとを接続する接続部材とを備え、２本の上記配管を接続したり分離したりする配管接離装置において、
上記第１のバルブおよび上記第２のバルブは、管内の流路を開閉する弁を備え、
上記第１のバルブまたは上記第２のバルブは、上記弁と上記他端との間の管の内側と外側とを連通する２つの孔を設け、
上記２つの孔は、それぞれ第３のバルブと第４のバルブとが配設されていることを特徴とする配管接離装置。
【請求項２】
一端に第１の配管が接続された第１のバルブの他端と一端に第２の配管が接続された第２のバルブの他端とが接続部材により接続されている上記第１の配管と上記第２の配管とを分離する配管接離方法において、
上記第１のバルブと上記第２のバルブの流路を閉鎖する手順と、
上記第１のバルブと上記第２のバルブの流路を閉鎖した後、上記第１のバルブまたは第２のバルブに配設された第３のバルブを介してオイルを注入し、上記第１のバルブまたは第２のバルブに配設された第４のバルブを介して冷媒を回収してオイルにより置換する手順と、
オイルにより置換した後、上記接続部材により上記第１のバルブと上記第２のバルブとを分離する手順と、
を有することを特徴とする配管接離方法。
【請求項３】
一端に第１の配管が接続され、流路が閉鎖されている第１のバルブの他端と一端に第２の配管が接続され、流路が閉鎖されている第２のバルブの他端とを接続部材により接続することにより上記第１の配管と上記第２の配管とを接続する配管接離方法において、
上記第１のバルブの他端と上記第２のバルブの他端とを上記接続部材により接続する手順と、
上記接続部材により接続した後、上記第１のバルブまたは上記第２のバルブに配設された第３のバルブを介してオイルを注入し、上記第１のバルブまたは第２のバルブに配設された第４のバルブを介して空気を排出してオイルにより置換する手順と、
オイルにより置換した後、上記第１のバルブと上記第２のバルブの流路を開放する手順と、
を有することを特徴とする配管接離方法。
【発明の詳細な説明】
【技術分野】
【０００１】
この発明は、室内機だけを取り外すために室内機と室外機とを連通する冷媒配管を接続と分離とをする配管接離装置およびそれを使用する配管接離方法に関する。
【背景技術】
【０００２】
従来の天井埋込型空気調和機は、圧縮機、四方弁、室外熱交換器、膨張弁および配管接続部を備えた室外機と、室内熱交換器、冷媒分岐管および配管接続部を備えた複数の室内機と、室外機の配管接続部および室内機の配管接続部の間に設けられ、電磁弁および配管接続部を備えた冷媒分岐装置と、この冷媒分岐装置および室外機の配管接続部と、この冷媒分岐装置および室内機の配管接続部とを順次接続する配管とで構成されている。
そして、各配管接続部にバルブを設置して冷媒配管を切り離し可能とし、その際配管に含まれる冷媒を冷媒回収装置を使用して回収している。また、新たに室内機を設置するときには配管も含めて室内機内の冷媒回路の空気を冷媒により置換している（例えば、特許文献１参照）。
【０００３】
【特許文献１】特開２０００−３２９３６８号公報
【発明の開示】
【発明が解決しようとする課題】
【０００４】
しかし、配管から冷媒回収装置を使用して冷媒を回収することは、作業工程の増加を招き、作業費用の増大を招くという問題がある。
また、新たな室内機を設置するときに配管や冷媒回路内の空気を冷媒により置換するためには、真空ポンプ及び冷媒充填装置を必要とするとともに作業工程の増加を招き、作業費用の増大を招くという問題がある。
【０００５】
この発明の目的は、室内機と室外機とを連通する冷媒配管を冷媒の漏れなく簡単に接離する配管接離装置およびそれを使用する配管接離方法を提供することである。
【課題を解決するための手段】
【０００６】
この発明に係わる配管接離装置は、一端に配管が接続され、他端で互いに接続される管状の第１のバルブおよび第２のバルブと上記第１のバルブと上記第２のバルブとを接続する接続部材とを備え、２本の配管を接続または分離する配管接離装置において、上記第１のバルブおよび上記第２のバルブは、管内の流通を開閉する弁を備え、上記第１のバルブまたは上記第２のバルブの少なくとも一方は、上記弁と上記他端との間の管内と外側とを連通する２つの孔が設けられ、上記２つの孔にはそれぞれ第３のバルブと第４のバルブとが配設されている。
【発明の効果】
【０００７】
この発明に係わる配管接離装置の効果は、２本の配管を分離するときに、第１のバルブと第２のバルブとの弁を閉じて冷媒の流れを止め、第３のバルブからオイルを注入して２つの弁により閉鎖された空間に貯まっている冷媒を第４のバルブから追い出してから第１のバルブと第２のバルブとを分離するので、第３のバルブからオイルを注入するだけで冷媒配管に冷媒を戻すことができ、冷媒回収装置を必要とせず、作業も簡単である。
【発明を実施するための最良の形態】
【０００８】
図１は、この発明に係わる配管接離装置が介設された冷媒配管が接続された室内機の様子を示す図である。図２は、この発明に係わる配管接離装置の断面図である。
【０００９】
この発明に係わる配管接離装置１は、図１に示すように、例えば、室内機２を外気への有害な菌類などの飛散の危険性のない工場に搬入してフィルタを交換したり、室内機２内部を殺菌洗浄したりするために、室内機２だけを取り外せるように冷媒配管３を室内機２の近傍で室内機２側の冷媒配管３ａと室外機側の冷媒配管３ｂとを分離するために取り付けられている。
また、フィルタの交換や内部の殺菌洗浄が完了した室内機２を設置場所に配置して、室内機２側の冷媒配管３ａと室外機側の冷媒配管３ｂとを接続するときにも役割を果たす。
そして、室内機２が例えば天井などに設置されているときには、配管接離装置１内の流路を冷媒が流通している。一方、室内機２を取り外そうとするときや取り外された後では、配管接離装置１内の流路を冷媒は流れない。
【００１０】
この発明に係わる配管接離装置１は、図２に示すように、一端６ａに第１の配管としての室内機２側の冷媒配管３ａが接続される管状のボディ６ｂを有する第１のバルブ６と、一端７ａに第２の配管としての室外機側の冷媒配管３ｂが接続される管状のボディ７ｂを有する第２のバルブ７と、第１のバルブ６と第２のバルブ７の他端部６ｃ、７ｃを互いに接続する接続部材８とを備える。
第１のバルブ６は、ボディ６ｂの中心軸に沿った柱状中空の流路１１が設けられている。そして、第１のバルブ６の流路１１の沿った中央に弁１２が配設され、弁１２を開閉することにより流路１１を流れる冷媒の流れを通過・遮断することができる。また、弁１２と他端部６ｃとの間にボディ６ｂの径方向にボディ６ｂを貫通する２個の孔１３ａ、１３ｂが設けられている。
【００１１】
弁１２は、ボール弁であり、９０°回動されることにより流路１１の閉鎖と開放を切り換えるボール１４、ボール１４を回動するステム１５、ステム１５の回動の範囲を限定するストッパ１６を備える。
また、第１のバルブ６は、他端部６ｃにフランジ部１７が設けられ、フランジ部１７の外側面にネジ１８が設けられている。
孔１３ａ、１３ｂは、それぞれ第３のバルブとしての第１チェックバルブ２０と第４のバルブとしての第２のチェックバルブ２１とが配設されている。第１チェックバルブ２０は、順方向が外側から流路１１に向いている。また、第２チェックバルブ２１は、順方向が流路１１から外側に向かっており、通常冷媒が流れるときに流路１１に加わる圧力では流れずに、所定の圧力以上の圧力が加わったときに冷媒が流れる。
【００１２】
一方、第２のバルブ７は、ボディ７ｂの中心軸に沿った柱状中空の流路２３が設けられている。そして、第２のバルブ７の流路２３に沿った中央に弁２４が配設され、弁２４を開閉することにより流路２３を流れる冷媒の流れを通過・遮断することができる。弁２４は、弁１２と同様にボール弁であり、９０°回動されることにより流路２３の閉鎖と開放を切り換えるボール２５、ボール２５を回動するステム２６、ステム２６の回動の範囲を限定するストッパ２７を備える。
また、第２のバルブ７は、他端部７ｃにフランジ部２８が設けられている。
【００１３】
接続部材８は、２つのリング３０ａ、３０ｂが一体化されたものであり、一方のリング３０ａの内径は第２のバルブ７のフランジ部２８の外径より小さく、他方のリング３０ｂの内径は第２のバルブ７のフランジ部２８の外径より大きい。また、他方のリング３０ｂの内側面に第１のバルブ６のフランジ部１７の外側面のネジ１８と嵌合するネジ３１が設けられている。そして、接続部材８は、一方のリング３０ａの一方の端面が第２のバルブ７のフランジ部２８の弁２４側の端面に突き当たることにより、第２のバルブ７の他端部７ｃ側には抜け落ちない。
【００１４】
ここで、第１のバルブ６と第２のバルブ７とを接続することについて説明する。
第１のバルブ６のフランジ部１７と第２のバルブ７のフランジ部２８とを面合わせし、接続部材８を回転しながら他方のリング３０ｂのネジ３１を第１のバルブ６のフランジ部１７のネジ１８にネジ締めすると、第２のバルブ７のフランジ部２８の弁２４側の端面に突き当たり、第１のバルブ６の他端部６ｃと第２のバルブ７の他端部７ｃが接する。この第１のバルブ６の他端部６ｃにはＯリング３３が配設されているので、冷媒がシールされる。
【００１５】
図３は、配管接離装置１により接続されている冷媒配管３を分離する前の関係機器の接続図である。
次に、室内機２側の冷媒配管３ａと室外機側の冷媒配管３ｂとが接続されているときの構成を説明する。
図３に示すように、室内機２側の冷媒配管３ａの一端には３方継手３５が配設され、３方継手３５の１つの継手口には第１のバルブ６が接続されている。一方、第２チェックバルブ２１には、逆止弁３６が配管３７により接続され、その逆止弁３６が３方継手３５の他の継手口に配管３７により接続されている。
そして、第１のバルブ６の弁１２と第２のバルブ７の弁２４が開放されているときには、室外機と室内機２との間を冷媒４１が流れる。
【００１６】
図４は、２つの弁１２、２４により閉鎖されている閉鎖空間に貯まる冷媒４１を回収する様子を示す図である。
次に、室内機２を取り外すために、室内機２側の冷媒配管３ａと室外機側の冷媒配管３ｂとを分離する手順について説明する。
第１チェックバルブ２０に油圧ポンプ３９を接続する。このとき使用するオイルは、冷凍サイクルの潤滑用に使用されているものである。
次に、第１のバルブ６の弁１２と第２のバルブ７の弁２４を閉鎖する。
次に、第１チェックバルブ２０を介して油圧ポンプ３９からオイル４０を第１のバルブ６の弁１２と第２のバルブ７の弁２４とにより閉鎖された空間に押し込み、押された冷媒４１が第２チェックバルブ２１を介して押し出され、その冷媒４１が逆止弁３６を通過して冷媒配管３ａに戻される。
次に、冷媒４１をオイル４０により置換した後、接続部材８を回転しながらネジを外して第１のバルブ６と第２のバルブ７とを分離する。
【００１７】
このとき、冷媒４１を置換したオイル４０が第１のバルブ６の弁１２と第２のバルブ７の弁２４とにより閉鎖された空間に残っているが、配管接離装置１の下方にオイル受け皿を置いておくことにより、回収でき、必要であれば再度オイルとして使用することができる。
また、冷媒４１をオイル４０により置換するときに、置換の最後では冷媒配管３ａにオイル４０が流し込まれることがあるが、このオイル４０は冷凍サイクルにおいて常時使用している潤滑用のオイルであるので、冷凍サイクルの弊害にならない。
【００１８】
このように、室内機２側の冷媒配管３ａと室外機側の冷媒配管３ｂとを分離するとき、第１のバルブ６の弁１２と第２のバルブ７の弁２４とを閉じ、第１のバルブ６の弁１２と第２のバルブ７の弁２４とにより閉鎖された空間に残された冷媒４１をオイル４０に置換した後で第１のバルブ６と第２のバルブ７とを分離するので、第１のチェックバルブ２０からオイル４０を注入するだけで冷媒配管３ａに冷媒４１を戻すことができ、冷媒回収装置を必要とせず、作業も簡単である。
【００１９】
図５は、２本の配管に配設されている配管接離装置を構成する第１のバルブと第２のバルブとを接続しエアパージする前の関係機器の接続図である。
次に、室内機２側の冷媒配管３ａと室外機側の冷媒配管３ｂとを接続するときの手順を説明する。
室内機２側の冷媒配管３ａの一端には、３方継手３５を介して第１のバルブ６が接続されている。このとき、第１のバルブ６の弁１２は閉鎖され、第１チェックバルブ２０に油圧ポンプ３９を接続する。このとき使用するオイルは、冷凍サイクルの潤滑用に使用されているものである。第２チェックバルブ２１にはエアーパージプラグ４２が接続されている。
一方、室外機側の冷媒配管３ｂの一端には、第２のバルブ７が接続されている。このときは、第２のバルブ７の弁２４は閉鎖されている。
第１のバルブ６の他端部６ｃと第２のバルブ７の他端部７ｃとを接続部材８により接続する。
次に、第１のバルブ６に配設された第１チェックバルブ２０を介してオイルを注入し、第１のバルブ６に配設された第２チェックバルブ２１を介し、エアーパージプラグ４２から空気を排出する。このようにして、第１のバルブ６の弁１２と第２のバルブ７の弁２４とにより閉鎖された空間がオイルにより置換される。
次に、第１のバルブ６の弁１２と第２のバルブ７の弁２４を開放することにより、冷媒配管３ａと冷媒配管３ｂとが接続され、室外機と室内機２の間を冷媒が流通する。
【００２０】
このとき第１のバルブ６の弁１２と第２のバルブ７の弁２４とにより閉鎖された空間のオイルが冷媒と一緒に冷凍サイクルを流通するが、このオイルは冷凍サイクルにおいて常時使用している潤滑用のオイルであるので、冷凍サイクルの弊害にならない。
【００２１】
このように室内機２側の冷媒配管３ａと室外機側の冷媒配管３ｂとを接続するとき、第１のバルブ６と第２のバルブ７とを接続し、第１のバルブ６の弁１２と第２のバルブ７の弁２４とにより閉鎖された空間に残された空気をオイルに置換した後で第１のバルブ６の弁１２と第２のバルブ７の弁２４とを開放するので、第１のチェックバルブ２０からオイルを注入するだけで空気をパージでき、真空ポンプ及び冷媒充填装置を必要とせず、作業も簡単で費用も安くてすむ。
【００２２】
なお、第１チェックバルブ２０と第２チェックバルブ２１とを第１のバルブ６に配設した例を用いて説明したが、一方を第１のバルブ６、他方を第２のバルブ７に配設しても、両方を第２のバルブ７に配設しても、上述の例による効果と同様な効果が得られる。
【図面の簡単な説明】
【００２３】
【図１】この発明に係わる配管接離装置が介設された冷媒配管が接続された室内機の様子を示す図である。
【図２】この発明に係わる配管接離装置の断面図である。
【図３】この発明に係わる配管接離装置により接続されている冷媒配管を分離する前の関係機器の接続図である。
【図４】２つの弁により閉鎖されている閉鎖空間に貯まる冷媒を回収する様子を示す図である。
【図５】２本の配管に配設されている配管接離装置を構成する第１のバルブと第２のバルブとを接続しエアパージする様子を示す図である。
【符号の説明】
【００２４】
１  配管接離装置、２  室内機、３、３ａ、３ｂ  冷媒配管、６、７  バルブ、６ａ、７ａ  （バルブの）一端、６ｂ、７ｂ  （バルブの）ボディ、６ｃ、７ｃ  （バルブの）他端部、８  接続部材、１１、２３  流路、１２、２４  弁、１３ａ、１３ｂ  孔、１４、２５  ボール、１５、２６  ステム、１６、２７  ストッパ、１７、２８  フランジ部、１８、３１  ネジ、２０、２１  チェックバルブ、３０ａ、３０ｂ  リング、３３  Ｏリング、３５  ３方継手、３６  逆止弁、３７  配管、３９  油圧ポンプ、４０  オイル、４１  冷媒、４２  エアーパージプラグ。
【図１】
2007255836.tif 000003
【図２】
2007255836.tif 000004
【図３】
2007255836.tif 000005
【図４】
2007255836.tif 000006
【図５】
2007255836.tif 000007